(57)【要約】【課題】組立式による利便性を備えつつも、水分を確実かつ効率的に排水することができる集中排水式組立プランターを提供すること。【解決手段】隅部材Ａと縁部材Ｂと中敷部材Ｃとを含んで構成され、前記隅部材Ａと縁部材Ｂの各擁壁板２の側縁対向面２１に形成される係合部２２にジョイント部材３を挿入して当該両役物成形物を連結可能に構成されており、かつ、前記各役物成形物の開放エッジ１４には、エッジに沿って排水溝１４ａが形成されており、当接した役物成形物の当該排水溝１４ａ・１４ａに前記連結部材４を跨嵌して連結可能であり、かつ、前記各役物成形物の各底板１の少なくとも一つの隅角部１５ａは隅切りされて取付孔１５が作出可能であると共に、この取付孔１５に嵌着可能なドレンキャップ５の排水口５１を通じてプランター内の水分を集中的に排水できるようにするという技術的手段を採用した。【選択図】  図７
2005006610.tif 000002
【特許請求の範囲】
【請求項１】
役物成形物の組合せから成る組立ボックス体であって、
隅底板１１の一角部を囲う如く立設されたコーナー擁壁板２Ａを備え、かつ、このコーナー擁壁板２Ａが形成された当該隅底板１１の側縁の開放エッジ１４方向へ下降勾配が付与された排水面を有する隅部材Ａと；
縁底板１２の一側に単擁壁板２Ｂを備え、かつ、この単擁壁板２Ｂが形成された当該縁底板１２の側縁の開放エッジ１４方向へ各々下降勾配が付与された排水面を有する縁部材Ｂと；
中央域が隆起して四方の開放エッジ１４方向へ下降勾配が付与された排水面を有する中敷底板１３から成る中敷部材Ｃとを含んで構成され、
前記隅部材Ａと縁部材Ｂの各擁壁板２の側縁対向面２１には係合片２２ａが設けられており、当該両対向面２１・２１を対向せしめて形成される係合部２２にジョイント部材３を挿入して当該両役物成形物を連結可能に構成されており、かつ、
前記各役物成形物の開放エッジ１４には、エッジに沿って排水溝１４ａが形成されており、当接した役物成形物の当該排水溝１４ａ・１４ａに前記連結部材４を跨嵌して連結可能であり、かつ、
前記各役物成形物の各底板１の少なくとも一つの隅角部１５ａは隅切りされており、これら役物成形物が連接して辻形に寄り合う各々の底板１の隅角部１５ａにより取付孔１５が作出可能であると共に、この取付孔１５にはドレンキャップ５を嵌着可能であって、
このドレンキャップ５の排水口５１を通じてプランター内の水分を集中的に排水できることを特徴とする集中排水式組立プランター。
【請求項２】
擁壁板２が、頭部から脚部に亙り逓増的に増厚して形成されていることを特徴とする請求項１記載の集中排水式組立プランター。
【請求項３】
ジョイント部材３に止着孔３１が設けられており、この止着孔３１に止着部材３２を挿通して固定できることを特徴とする請求項１または２記載の集中排水式組立プランター。
【請求項４】
連結部材４にメッシュ部４１が形成されており、このメッシュ部４１が排水溝１４ａの上面に被覆可能であることを特徴とする請求項１〜３の何れか一つに記載の集中排水式組立プランター。
【請求項５】
底板１の表面にスリット１６が形成され、排水促進できることを特徴とする請求項１〜４の何れか一つに記載の集中排水式組立プランター。
【請求項６】
底板１の裏面にスペーサ脚部１７が突設されていることを特徴とする請求項１〜５の何れか一つに記載の集中排水式組立プランター。
【請求項７】
底板１の取付孔１５の上面に、メッシュ蓋を被覆可能であることを特徴とする請求項１〜６の何れか一つに記載の集中排水式組立プランター。
【請求項８】
擁壁板２の上部に差込孔２３が形成されており、この差込孔２３に支持棒材６を挿入して被覆部材７を掛架可能であることを特徴とする請求項１〜７の何れか一つに記載の集中排水式組立プランター。
【請求項９】
擁壁板２の上部に補足堰板２４を継足し設置可能であることを特徴とする請求項１〜８の何れか一つに記載の集中排水式組立プランター。
【請求項１０】
ジョイント部材３の上部にクリップ部３３が形成されており、このクリップ部３３に撒水パイプ８が設置可能であることを特徴とする請求項１〜９の何れか一つに記載の集中排水式組立プランター。
【発明の詳細な説明】
【０００１】
【発明の属する技術分野】
本発明は、花壇または菜園などに用いるプランターの改良、更に詳しくは、組立式による利便性を備えつつも、プランター内の水分を確実かつ効率的に排水することができる集中排水式組立プランターに関するものである。
【０００２】
【従来の技術】
花壇や家庭菜園などは、重たいコンクリートブロックなどで囲って積み上げることによって築造されており、その作業には大変な労力が必要であったため、従来、分割可能な組立式のプランターが提案されており、運搬が便利で、しかも、敷地の大きさや形状に合わせてレイアウトも自在である（例えば、特許文献１参照）。
【０００３】
しかしながら、このような組立式のものにあっては、撒いた水が底面に浸透していくため、継ぎ目から水漏れして周囲が水浸しになってしまうという問題があった。
【０００４】
また、底板の隙間から排水されると同時にプランター内の土壌が流出してしまうおそれがある。かと言って、排水の効率が悪いと、土壌に嫌気性細菌が増殖するなどして腐敗し、植栽した植物の根が枯れてしまうというおそれがあった。
【０００５】
【特許文献１】
実開平５−６７２４２号公報  （第２頁、第１−３図）
【０００６】
【発明が解決しようとする課題】
本発明は、従来の組立式のプランターに上記のような問題があったことに鑑みて為されたものであり、その目的とするところは、組立式による利便性を備えつつも、水分を確実かつ効率的に排水することができる集中排水式組立プランターを提供することにある。
【０００７】
【課題を解決するための手段】
本発明者が上記課題を解決するために採用した手段を添付図面を参照して説明すれば次のとおりである。
【０００８】
即ち、本発明は、役物成形物の組合せから成る組立ボックス体であって、
隅底板１１の一角部を囲う如く立設されたコーナー擁壁板２Ａを備え、かつ、このコーナー擁壁板２Ａが形成された当該隅底板１１の側縁の開放エッジ１４方向へ下降勾配が付与された排水面を有する隅部材Ａと；
縁底板１２の一側に単擁壁板２Ｂを備え、かつ、この単擁壁板２Ｂが形成された当該縁底板１２の側縁の開放エッジ１４方向へ各々下降勾配が付与された排水面を有する縁部材Ｂと；
中央域が隆起して四方の開放エッジ１４方向へ下降勾配が付与された排水面を有する中敷底板１３から成る中敷部材Ｃとを含んで構成され、
前記隅部材Ａと縁部材Ｂの各擁壁板２の側縁対向面２１には係合片２２ａが設けられており、当該両対向面２１・２１を対向せしめて形成される係合部２２にジョイント部材３を挿入して当該両役物成形物を連結可能に構成されており、かつ、
前記各役物成形物の開放エッジ１４には、エッジに沿って排水溝１４ａが形成されており、当接した役物成形物の当該排水溝１４ａ・１４ａに前記連結部材４を跨嵌して連結可能であり、かつ、
前記各役物成形物の各底板１の少なくとも一つの隅角部１５ａは隅切りされており、これら役物成形物が連接して辻形に寄り合う各々の底板１の隅角部１５ａにより取付孔１５が作出可能であると共に、この取付孔１５にはドレンキャップ５を嵌着可能であって、
このドレンキャップ５の排水口５１を通じてプランター内の水分を集中的に排水できるようにするという技術的手段を採用した。
【０００９】
また、本発明は、上記課題を解決するために、必要に応じて上記手段に加え、擁壁板２を、頭部から脚部に亙り逓増的に増厚して形成するという技術的手段を採用した。
【００１０】
更にまた、本発明は、上記課題を解決するために、必要に応じて上記手段に加え、ジョイント部材３に止着孔３１を設け、この止着孔３１に止着部材３２を挿通して固定できるようにするという技術的手段を採用した。
【００１１】
更にまた、本発明は、上記課題を解決するために、必要に応じて上記手段に加え、連結部材４にメッシュ部４１を形成し、このメッシュ部４１を排水溝１４ａの上面に被覆可能にするという技術的手段を採用した。
【００１２】
更にまた、本発明は、上記課題を解決するために、必要に応じて上記手段に加え、底板１の表面にスリット１６が形成され、排水促進できるようにするという技術的手段を採用した。
【００１３】
更にまた、本発明は、上記課題を解決するために、必要に応じて上記手段に加え、底板１の裏面にスペーサ脚部１７を突設するという技術的手段を採用した。
【００１４】
更にまた、本発明は、上記課題を解決するために、必要に応じて上記手段に加え、底板１の取付孔１５の上面に、メッシュ蓋を被覆可能にするという技術的手段を採用した。
【００１５】
更にまた、本発明は、上記課題を解決するために、必要に応じて上記手段に加え、擁壁板２の上部に差込孔２３を形成し、この差込孔２３に支持棒材６を挿入して被覆部材７を掛架可能にするという技術的手段を採用した。
【００１６】
更にまた、本発明は、上記課題を解決するために、必要に応じて上記手段に加え、擁壁板２の上部に補足堰板２４を継足し設置可能にするという技術的手段を採用した。
【００１７】
更にまた、本発明は、上記課題を解決するために、必要に応じて上記手段に加え、ジョイント部材３の上部にクリップ部３３を形成し、このクリップ部３３に撒水パイプ８を設置可能にするという技術的手段を採用した。
【００１８】
【発明の実施の形態】
本発明の実施形態を具体的に図示した図面に基いて更に詳細に説明すると次のとおりである。
【００１９】
本発明の実施形態を図１から図１１に基いて説明する。図中、符号１で指示するものは底板であり、この底板１はプランター本体の底部を構成する部材である。また、符号２で指示するものは擁壁板であり、この擁壁板２は前記底板１の周縁を囲う如く立設されている。符号３で指示するものはジョイント部材であり、このジョイント部材３は隣接する役物成形物を連結するために前記擁壁板２の係合部２２に挿入する部材である。
【００２０】
しかして、本実施形態の組立プランターは、役物成形物の組合せから成る組立ボックス体であって、
（１）隅部材Ａ：隅底板１１の一角部を囲う如く立設されたコーナー擁壁板２Ａを備え、かつ、このコーナー擁壁板２Ａが形成された当該隅底板１１の側縁の開放エッジ１４方向へ下降勾配が付与された排水面を有する部材（図１参照）
（２）縁部材Ｂ：縁底板１２の一側に単擁壁板２Ｂを備え、かつ、この単擁壁板２Ｂが形成された当該縁底板１２の側縁の開放エッジ１４方向へ各々下降勾配が付与された排水面を有する部材（図２参照）
（３）中敷部材Ｃ：中央域が隆起して四方の開放エッジ１４方向へ各々下降勾配が付与された排水面を有する部材（図３参照）
とを少なくとも含む３種類の役物成形物（本実施形態では、ポリエチレンなどの合成樹脂製）に形成した点に特徴を有しており、例えば、図４に示すように組み合わせて配置することによってプランターを構成することができる。
【００２１】
本実施形態では、前記擁壁板２を、頭部から脚部に亙り逓増的に増厚して形成することにより、土圧に対する抵抗力を付与するとともに、プランターを安定化させることができる。
【００２２】
そして、前記隅部材Ａと縁部材Ｂの各擁壁板２の側縁対向面２１には係合片２２ａが設けられており、当該両対向面を対向せしめて形成される係合部２２にジョイント部材３（図５参照）を挿入して当該両役物成形物を連結可能に構成されている。なお、要に応じて、このジョイント部材３に止着孔３１を設けることにより、この止着孔３１に止着部材３２を挿通して固定することができ、確実強固に結合することができる。
【００２３】
また、前記各役物成形物の開放エッジ１４には、エッジに沿って排水溝１４ａが形成されており、当接した役物成形物の当該排水溝１４ａ・１４ａに前記連結部材４（図６参照）を跨嵌して連結可能であるとともに、連結部材４にメッシュ部４１を形成し、このメッシュ部４１を排水溝１４ａの上部に被覆可能であり（図７参照）、そこから水分を排出することができる。
【００２４】
更にまた、前記各役物成形物の各底板１の隅角部１５ａは隅切りされており、これら役物成形物が連接して辻形に寄り合う各々の底板１の隅角部１５ａにより取付孔１５が作出可能であると共に、この取付孔１５の上面には、適宜、メッシュ蓋を被覆することができる一方、排水および連結部材であるドレンキャップ５（図８参照）をプランター本体の裏側から嵌着可能である。
【００２５】
そして、各部材の底板が開放エッジ１４方向へ下降勾配が付与された排水面を有しているために、図９および図１０に示すように、水分が図中に示す矢印方向に流れ、確実に排水することができるのである。
【００２６】
こうして、前記ドレンキャップ５の排水口５１を通じてプランター内の水分を集中的に排水でき、更にこれらの排水口５１を排水管に連結して外部に集中的に導水することができる（図１１参照）。
【００２７】
また、底板１の裏面にスペーサ脚部１７を突設することによって、底板１が直接接地しないようにすることができ、例えば、設置面がアスファルトやコンクリートなどの高温になるおそれのある地表であっても、熱影響を軽減して根枯れを防止することができる（図１１参照）。
【００２８】
「実施変形例１」
本発明の実施変形例１を図１２に基いて説明する。本変形例では、擁壁板２の側縁対向面２１の切出し形状を変更し、擁壁板同士の対向角度を適宜変更して組み合わせることにより、プランターをその場に応じた複雑な形状のレイアウトに構成することを可能にする。この際、ジョイント部材３は作出された係合部２２の形状に合わせて設計変更すれば良い。
【００２９】
「実施変形例２」
本発明の実施変形例２を図１３に基いて説明する。本変形例では、擁壁板２の上部に差込孔２３を形成することにより、この差込孔２３に支持棒材６を挿入して被覆部材７を掛架可能であり、ビニールハウスなどを簡単に構成することができる。また、植栽物の茎や蔓などを支持する支柱や棚などを設置することもできる。
【００３０】
「実施変形例３」
本発明の実施変形例３を図１４に基いて説明する。本変形例では、擁壁板２の上部に補足堰板２４を継足し設置可能にすることにより、植栽の背丈に応じて土壌の分量を調節することができる。
【００３１】
「実施変形例４」
本発明の実施変形例４を図１５に基いて説明する。本変形例では、ジョイント部材３の上部にクリップ部３３を形成することによって、このクリップ部３３に撒水パイプ８を設置可能にするようにした。こうして撒水パイプ８を通じて便利に撒水できるとともに、このような場合であっても、確実かつ速やかに排水することができる。
【００３２】
本発明は概ね上記のように構成されるが、本発明は図示の実施形態に限定されるものでは決してなく、「特許請求の範囲」の記載内において種々の変更が可能であって、例えば、各役物成形物の底板１の表面にスリット１６を形成することにより、表面張力を大きくして、排水作用を促進することができる（図１６参照）。
【００３３】
また、図示しないが、排水溝１４ａは各擁壁板２の壁側に形成しても良く、例えば、底板面積が大きい場合に有効であり、適宜、カバーを被覆できるように構成することができる。
【００３４】
更にまた、擁壁板２の係合片２２ａの形状を図１７に示すように変更することもでき、ジョイント部材３と係合部２２との形状を変更しても同様の作用が得られる。更にまた、プランター内への動物侵入する防止するための防護柵などを設置することも可能であり、何れのものも本発明の技術的範囲に属する。
【００３５】
【発明の効果】
以上、実施形態をもって説明したとおり、本発明にあっては、組立プランターにおける各役物成形物の底板に開放エッジ方向へ下降勾配を付与して、かつ、この開放エッジのエッジ部分に排水溝を設けたことによって、プランター内の水分を確実かつ効率的に集中させて排水することができる。
【００３６】
したがって、撒いた水が底面に浸透しても、継ぎ目から水漏れして周囲が水浸しになってしまうおそれがなく、また、底板の隙間から排水されると同時にプランター内の土壌の流出を防止できることから、組立プランターとしての実用的価値は頗る高いものがある。
【図面の簡単な説明】
【図１】本発明の実施形態の隅部材の構造を表わす斜視図である。
【図２】本発明の実施形態の縁部材の構造を表わす斜視図である。
【図３】本発明の実施形態の中敷部材の構造を表わす斜視図である。
【図４】本発明の実施形態における各役物成形物を組合わせた状態を表わす全体斜視図である。
【図５】本発明の実施形態のジョイント部材の構造を表わす斜視図である。
【図６】本発明の実施形態の連結部材の構造を表わす斜視図である。
【図７】本発明の実施形態の組立て状態を表わす全体斜視図である。
【図８】本発明の実施形態のドレンキャップを表わす斜視図である。
【図９】本発明の実施形態の排水経路を表わす説明断面図である。
【図１０】本発明の実施形態の排水経路を表わす説明上面図である。
【図１１】本発明の実施形態の裏面を表わす全体斜視図である。
【図１２】本発明の実施形態の変形例１を表わす斜視図である。
【図１３】本発明の実施形態の変形例２を表わす斜視図である。
【図１４】本発明の実施形態の変形例３を表わす斜視図である。
【図１５】本発明の実施形態の変形例４を表わす斜視図である。
【図１６】本発明の実施形態の中敷部材の変形例を表わす斜視図である。
【図１７】本発明の実施形態の擁壁板係合部およびジョイント部材の変形例を表わす部分斜視図である。
【符号の説明】
１    底板
１１  隅底板
１２  縁底板
１３  中敷底板
１４  開放エッジ
１４ａ  排水溝
１５  取付孔
１５ａ  隅角部
１６  スリット
１７  スペーサ脚部
２    擁壁板
２Ａ  コーナー擁壁板
２Ｂ  単擁壁板
２１  側縁対向面
２２  係合部
２２ａ  係合片
２３  差込孔
２４  補足堰板
３    ジョイント部材
３１  止着孔
３２  止着部材
３３  クリップ部
４    連結部材
４１  メッシュ部
５    ドレンキャップ
５１  排水口
６    支持棒材
７    被覆部材
８    撒水パイプ
Ａ    隅部材
Ｂ    縁部材
Ｃ    中敷部材
【図１】
2005006610.tif 000003
【図２】
2005006610.tif 000004
【図３】
2005006610.tif 000005
【図４】
2005006610.tif 000006
【図５】
2005006610.tif 000007
【図６】
2005006610.tif 000008
【図７】
2005006610.tif 000009
【図８】
2005006610.tif 000010
【図９】
2005006610.tif 000011
【図１０】
2005006610.tif 000012
【図１１】
2005006610.tif 000013
【図１２】
2005006610.tif 000014
【図１３】
2005006610.tif 000015
【図１４】
2005006610.tif 000016
【図１５】
2005006610.tif 000017
【図１６】
2005006610.tif 000018
【図１７】
2005006610.tif 000019